(57)【要約】【課題】ブラジャーのストラップの肩部分に着脱自在であり肩凝り軽減の効果があるマッサージ部材。【解決手段】ブラジャーのストラップの肩部分に着脱自在に装着するもであり、シリコンゴム性薄板に、肩部分の肌に接触する表面に設けた複数の凸部と両端部に設けた係止溝から構成されている。この複数の凸部は両端から中心に向かうに従いその高さ寸法を小さくする。又、複数の凸部にマグネットを装着したマッサージ部材である。【選択図】図２
2005256263.tif 000002
【特許請求の範囲】
【請求項１】
ランジェリーーのストラップの肩部分に着脱自在に装着するものであって、シリコンゴム性薄板に、肩部分の肌に接触する表面に設けた複数の凸部と両端部に設けた係止溝からなるマッサージ部材。
【請求項２】
前記凸部はシリコン性薄板の両端から中心に向かうに従いその高さ寸法を小さくしたことを特徴とする請求項１に記載のマッサージ部材。
【請求項３】
前記凸部にマグネットを装着したことを特徴とする請求項１又２に記載のマッサージ部材。
【発明の詳細な説明】
【発明の詳細な説明】
【技術分野】
【０００１】  本発明はブラジャー等ランジェリー（以下ブラジャーと称す）のストラップの肩部分に着脱自在に装着するマッサージ部材に関する。
【背景技術】
【０００２】  従来、人類が肩凝りを軽減するために、色々な方法を用いている。肩凝りを軽減する方法として道具を使わずに肩凝りを軽減する方法がある。それは自分自身及び他人の手や指で、押す・叩く・揉むなどの方法で肩凝りを軽減する方法である。この自分自身及び他人の手や指で、押す・叩く・揉むなどの方法で肩凝りを軽減する方法は、道具を使わないため、コストもかからずにいつでもどこでも手軽に肩凝り軽減ができるという利点がある。【０００３】  しかしこの自分自身及び他人の手や指で押す・叩く・揉むなどの肩凝りを軽減する方法は、その肩凝り軽減手段として自分自身の手や指で押す・叩く・揉むことのために、自分自身の時間を使い、自分自身の手や指の力を必要とします。【０００４】  又、他人の手や指を借りて自分自身の肩凝り軽減手段のために押してもらう・叩いてもらう・揉んでもらうというように、他人に自分自身の肩凝り軽減手段のために時間を使ってもらい他人の手や指の力を借りなければならない。
よって、この自分自身及び他人の手や指で押す・叩く・揉むなどの方法で肩凝りを軽減する方法は自分自身及び他人の時間・手や指の力を必要とするという問題点がる。【０００５】  その他に肩凝りを軽減する方法として道具を使わずに肩凝りを軽減する方法は運動をすることで肩凝りを軽減する方法がある。この運動をすることで肩凝り軽減する方法は道具を使わないためコストもかからずに自分自身で他人の手を借りずに肩凝り軽減ができるという利点がある。しかし、運動をすることで肩凝りを軽減する方法を用いて肩凝りを軽減するには自分自身で時間を使わなければ、肩凝り軽減ができない。【０００６】  次に、何らかの道具を使うことで肩凝りを軽減する方法がある。その肩凝りを軽減する方法として、様々なマッサージ器具を使い肩凝りを軽減する方法です。この様々なマッサージ器具には背もたれのある椅子のマッサージ器具のような大きなものから小さなマッサージ器具のものまで、様々なマッサージ器具が数多くある。この様々なマッサージ器具の道具を使い肩凝りを軽減する方法は、様々なマッサージ器具の道具を購入することで自分自身の肩凝り部分に様々なマッサージ器具の道具を使うことにより肩凝り軽減ができるという利点がある。【０００７】  しかし、この様々なマッサージ器具を使い肩凝りを軽減する方法は、その肩凝りを軽減するために、この様々なマッサージ器具の道具を購入しなければならない。それに様々なマッサージ器具の道具を使い肩凝りを軽減する方法のために自分自身の時間を使わなければならない。よってこの様々なマッサージ器具の道具を使い肩凝りを軽減する方法で、肩凝りを軽減するために様々なマッサージ器具の道具を購入しなければならない点と、この様々なマッサージ器具の道具を使い肩凝りを軽減するために自分自身の時間を使わなければならないという問題点がある。
【発明の開示】
【発明が解決しようとする課題】
【０００８】  解決しようとする問題点は、肩凝りを軽減するために、肩凝りを軽減する方法で道具を使わずに肩凝りを軽減するならば、自分自身及び他人の手や指で押す・叩く・揉むなど、肩凝りを軽減するために自分自身及び他人の時間・手や指の力を必要とするという問題点がある。【０００９】  肩凝り軽減するために運動することで肩凝りを軽減するならば、自分自身で時間を必要とするという問題点がある。肩凝りを軽減するために何らかの道具を使って肩凝りを軽減するならば、何らかの道具の購入やこの何らかの道具を使い肩凝り軽減するために自分自身で時間を必要とするという問題点がある。本発明はこのような問題点を解決したものである。
【課題を解決するための手段】
【００１０】  本発明は、請求項１に記載したように、ブラジャーのストラップの肩部分に着脱自在に装着するものであって、シリコンゴム性薄板に、肩部分の肌に接触する表面に設けた複数の凸部と両端部に設けた係止溝からなることを特徴とする。【００１１】  本発明は、請求項２に記載したように、前記凸のマッサージ部材はシリコンゴム性薄板の両端から中心に向かうに従いその高さ寸法を小さくしたことを特徴とする。【００１２】  本発明は、請求項３に記載したように、前記凸部にマグネットを装着したことを特徴とする。
【発明効果】
【００１３】  本発明は、ブラジャーを装着する際にブラジャーのストラップの肩部分に着脱自在に装着するものであって、シリコンゴム性薄板に、肩部分の肌に接触する表面に設けた複数の凸部と両端部に設けた係止溝からなるマッサージ部材である本発明をブラジャーのストラップに装着することで肩凝りが軽減できる。
【００１４】  すなわち、このマッサージ部材がブラジャーのストラップの肩部分と肌側の間に本発明のマッサージ部材を装着したので肌側に密着され、本発明のシリコンゴム性薄板に設けた複数の凸部が肌に接触して肌に刺激を与えブラジャーを装着してる間中にわたってマッサージ効果が得られ肩凝り軽減ができる。
【００１５】  シリコンゴム性薄板の両端部に係止溝を設けたので、ブラジャーのストラップへの着脱が容易に行うことができ、一つのマッサージ部材を用意しておけば、他のブラジャーのストラップへ着脱できるため実用的である。
【００１６】  本発明の凸部がシリコンゴム性薄板の両端から中心に向かうに従いその高さ寸法を小さくしたのは、ブラジャーのストラップと肌の密着が、肩の頂点が胸を支えるため最も荷重がかかり密着が高いのに比べ、肩の頂点から背中側と胸側は密着が低くなる。そのために本発明の凸部の両端部を高くし、中心に向かうに従い小さくしたことにより、均等に本発明の凸部が肌へ刺激することができマッサージ効果が得られ肩凝り軽減ができる。
【００１７】  本発明は複数の凸部にマグネットを装着したので、前記に述べた肩凝り軽減効果に加え、マグネットにより血流を促進し、よりいっそう肩凝り軽減の効果がでる。
【発明を実施するための最良の形態】
【００１８】  本発明のマッサージ部材を図１〜図３に基づき説明する。図１は本発明のマッサージ部材をブラジャーの片方のストラップの肩部分に装着した図である。図２は本発明マッサージ部材の上面図である。図３は図２の横断面図である。以下説明すると、既製品ブラジャー１のストラップ２の肩部分に本発明であるシリコンゴム性薄板３からなるマッサージ部材１０を着脱自在に取付けるものである。このマッサージ部材１０は、シリコンゴム性薄板３に設けた複数の凸部４と、マッサージ部材１０をストラップ２に着脱自在に装着する両端部の係止溝５とから構成されている。【００１９】  又、複数の凸部４の高さは両端部が３．５ｍｍで中心に向かうに従い低くし、その高さは２ｍｍに構成する。さらに複数の凸部４は、先端を丸くした円錐の形であり、その先端の直径は２ｍｍに構成する。これらの寸法は適宜前後してもよい。【００２０】  マグネット６は、前記の複数の凸部４の先端に、２ｍｍの球状のマグネット６を埋め込んで構成する。このマグネット６は、すべての凸部に設けてもよい。又、適宜の凸部に設けてもよい。【００２１】  尚、シリコンゴム性薄板３からなるマッサージ部材１０は、一体的からなるものであり、この寸法は全長（両係止溝５を含む）約１２ｃｍ、幅（両係止溝５を省く）１．３ｃｍである。両係止溝５は長さ１ｃｍ、幅１．５ｃｍで構成する。これらの寸法は適宜前後してもよい。【００２２】  又、シリコンゴム性薄板３からなるマッサージ部材１０の材質は、肌にやさしいシリコンゴムを使用する。係止溝５は硬質なシリコンゴムを用い、シリコンゴム性薄板３を成型する際、一体的に構成するもので、ストラップ２に外れにくくした。シリコンゴム性薄板３と複数の凸部４は、係止溝５で用いたものより軟質なシリコンゴムを用いる。
【図面の簡単な説明】
【００２３】
【図１】本発明のマッツァージ部材をブラジャーの片方のストラップの肩部分に装着した説明図である。
【図２】本発明のマッサージ部材の上面図である。
【図３】図２の横断面図である。
【符号の説明】
【００２４】    １  ブラジャー
２  ストラップ
３  シリコンゴム性薄板
４  凸部
５  係止溝
６  マグネット
１０  マッサージ部材
【図１】
2005256263.tif 000003
【図２】
2005256263.tif 000004
【図３】
2005256263.tif 000005